(57)【要約】【課題】  電気製品のコードや落下防止のワイヤー等、紐状の対象の長さの調節を簡単な操作で行えるようにする、リール内部の巻き取り機構を提供する。  【解決手段】  ゼンマイにより付勢され、ワイヤーを巻き取る手段を有するリールからなる巻き取り機構であり、外装ｂ（７）の内側に設けたストッパー移動用の溝（３）に嵌め込んだストッパー（２）が、リール溝面（８）に設けた溝の形状により移動し、紐状の対象の長さを調節し、一度引っ張ると溝面に設けた誘導面によりストッパー（２）は溝内の同じ経路を循環し伸び、離すと誘導面とストッパー受け（２５）により長さがロックされ、再び引き続けると外溝から内溝への誘導面に誘導（２６）された後、再び溝内の同じ経路を循環し、短く引っ張るようにしてから離すと、外溝から内溝への誘導面（２６）に誘導される前に、外溝を循環するようにロックが解除され、巻き取られる事を特徴とする、巻き取り機構。【選択図】図４
2015084696.tif 000002
【特許請求の範囲】
【請求項１】
ゼンマイにより付勢され、ワイヤーを巻き取る手段を有するリールからなる巻き取り機構であり、外装ｂ（７）の内側に設けらたストッパー移動用の溝（３）に嵌め込まれたストッパー（２）が、リール溝面（８）に設けた溝の形状により移動し、ワイヤー、コード等、紐状の物であれば長さが調節でき、一度引っ張ると溝面に設けられた誘導面によりストッパー（２）は溝内の同じ経路を循環し伸び、離すと誘導面とストッパー受け（２５）により、長さがロックされ、再び引き続けると外溝から内溝への誘導面（２６）に誘導された後、再び溝内の同じ経路を循環し、短く引っ張るようにしてから離すと、外溝から内溝への誘導面（２６）に誘導される前に、外溝を循環するようにロックが解除され、巻き取られる事を特徴とする、巻き取り機構。
【発明の詳細な説明】
【技術分野】
【０００１】
本発明は、例えば電気製品のコードやメジャー、落下防止のキーホルダー等、リール内の糸、コード等、紐状の物の長さの調節を簡単な操作で行えるようにする、巻き取り時にロック解除のボタンを有しないリール内部の巻き取り機構に関するものである。
【背景技術】
【０００２】
従来、例えばゼンマイを使うリール式のキーホルダー等で長さを調整できない物や、調節は出来ても紐を伸ばした後、ロックを解除する為に紐意外の部分（リールにロック解除がついている等）を押さなければならなかった。
【発明の概要】
【発明が解決しようとする課題】
【０００３】
長さ調節できない物は、伸ばしたままの状態を保ちたい時、引っ張り続ける必要があった。
【０００４】
長さ調節できる物で、調節した長さを元に戻す為にロックを解除のボタンを押す物は、小さい動作で動かすことが出来なかった。
【０００５】
本発明は、以上の問題点を解決しようとするものである。
【課題を解決するための手段】
【０００６】
ゼンマイにより付勢され、ワイヤーを巻き取る手段を有するリールからなる巻き取り機構であり、外装ｂ（７）の内側に設けらたストッパー移動用の溝（３）に嵌め込まれたストッパー（２）が、リール溝面（８）に設けた溝の形状により移動し、ワイヤー、コード等、紐状の物であれば長さが調節でき、一度引っ張ると溝面に設けられた誘導面によりストッパー（２）は溝内の同じ経路を循環し伸び、離すと誘導面とストッパー受け（２５）により、長さがロックされ、再び引き続けると外溝から内溝への誘導面（２６）に誘導された後、再び溝内の同じ経路を循環し、短く引っ張るようにしてから離すと、外溝から内溝への誘導面（２６）に誘導される前に、外溝を循環するようにロックが解除され、巻き取られる事を特徴とする、巻き取り機構である。
【発明の効果】
【０００７】
リール内の伸縮したい紐等の対象を片手で、また小さい動作で長さの調整が出来る。
【図面の簡単な説明】
【０００８】
【図１】本発明の斜視図
【図２】本発明の分解斜視図
【図３】本発明のリール溝面の形状を表す平面図
【図４】本発明のリール溝面とストッパーの構造を示す分解斜視図
【図５】本発明のリール溝面とストッパーの関係を表す、ワイヤーを引っ張った状態を表す説明図
【図６】本発明のリール溝面とストッパーの関係により、ワイヤーがロックされた状態を表す説明図
【図７】本発明のリール溝面とストッパーの関係により、ワイヤーがロックされた状態から再びワイヤーを引き続けた状態を表す説明図
【図８】本発明のリール溝面とストッパーの関係により、ワイヤーのロックが解除され、リールに巻き取られる状態を表す説明図
【図９】本発明のリール溝面（８）の符号の詳細図
【発明を実施するための形態】
【０００９】
以下、この発明の実施の形態を図面に基づいて具体的に説明するが、本願発明の範囲は、以下に説明する実施の形態に限定されるものではない。図２は図３〜図９を機能させる為の一形態であって、図３〜図９の形状、構造による同様の作用、効果が有るものは全て含むものである。
【００１０】
図４は本発明の特徴であるリール内部の巻き取り機構の、リール溝面（８）とリールの外装ｂ（７）に設けられたストッパー移動用の溝（３）にはめ込むストッパー（２）の図であり、具体的な仕組みについては後述するが、まずはそれを機能させる為の一形態である図２について説明する。
【００１１】
図２のリール内部本体（４）にゼンマイ（５）を収納する。その際、ゼンマイの端（１８）をゼンマイの端収納口（１９）に固定するように収納する。また、ワイヤー（１）の先端にあるワイヤーストッパー（１５）はワイヤー収納口（１２）に収納するが、ワイヤー（１）は図２から見た場合、リール内部本体（４）の中央に時計回りに巻きつける。
【００１２】
図２の外装ｂ（７）に設けられたストッパー移動用の溝（３）にストッパー（２）をはめ込む。外装ｂ（７）の中央にある軸（９）をリール内部本体（４）中央にある穴（１０）に差込むが、そのときリール内部本体（４）に収納されたゼンマイ（５）の中央にあるゼンマイの芯（１７）に軸（９）先端の軸の切れ込み（２０）に固定する。
【００１３】
図２の外装ｂ（７）と、外装ａ（６）をリール内部本体（４）を覆うよう、合わせるように蓋をし、ワイヤー出口ａ（１４）とワイヤー出口ｂ（１３）で出来た穴からリール本体（４）に巻きつけたワイヤー（１）を出す。
【００１４】
図４はリール溝面（８）側から見た分解斜視図であるが、外装ｂ（７）に設けたストッパー移動用の溝（３）にはめ込んだストッパー（２）は、リール内部本体（４）の回転により、リール溝面（８）に設けられた溝に合わせ、ストッパー移動用の溝（３）内をスライドする。
【００１５】
図５〜図８のリール溝面（８）側から見たの場合、ゼンマイの力は常に時計回りに回ろうとする力が働いており、リール溝面（８）のみが回転し、ストッパー（２）は左右にしか動かない。
【００１６】
まず、図５のワイヤー（１）を伸ばすために引っ張ると、リール溝面（８）は図の左の矢印のように反時計回りに回る。図５の場合、ストッパー（２）は、回転するリール溝面（８）に設けられた溝の間の溝内に書かれた矢印上を通過する。
【００１７】
次に図６のようにワイヤー（１）を離すと、時計回りに回るゼンマイの力により、リール溝面（８）は図の左の矢印のように時計回りに回転する。ストッパー（２）はストッパー受けへの誘導面（２９）に誘導され、ストッパー受け（２５）に入りロックされ、ワイヤー（１）はそれ以上巻き取られない。ストッパー（２）は、溝内に書かれた矢印上を通過し、中間誘導凸部小（２３ａ）のストッパー受け（２５）に入る。
【００１８】
図６ではストッパー（２）は中間誘導凸部小（２３ａ）のストッパー受け（２５）に入っているが、ワイヤのー長さにより、２３ａ、２３ｂ、２３ｃのストッパー受けに入る。なお、２３ａ、２３ｂ、２３ｃの３つの形状はいずれも同じである。
【００１９】
図６のストッパー（２）が停止した状態から再びワイヤー（１）を引き続けると、次に図７の状態に移る。リール溝面（８）は図の左の矢印のように反時計回りに回るので、ロックされたストッパー（２）は外溝への誘導面（３０）に誘導され、外側誘導凸部（２１）に沿うように進み、外側誘導面（２７）と中間誘導面（２８）の間を通り、外溝から内溝への誘導面（２６）に誘導され、再び図５の状態に戻る。ストッパー（２）は、図７の溝内に書かれた矢印上を通過する。
【００２０】
図８はロック解除の説明図であるが、図６の停止した状態からワイヤー（１）を引き続けると再び図７の状態を経由し、再び図５の状態に戻るが、図５の状態に戻る前にワイヤー（１）を離す。つまりストッパー（２）が外溝から内溝への誘導面（２６）に誘導される前にワイヤー（１）を離す（簡単に言うならばワイヤー（１）を引き続けるのではなく、少し引っ張ってから離す。）と、時計回りに回わろうとするゼンマイの力により 、ストッパー（２）は外側誘導凸部（２１）に沿うように図８の溝内に書かれた矢印上を通過しワイヤー（１）は巻き取られる。
【００２１】
リール溝面（８）の中間誘導凸部大２４ａ、２４ｂ、２４ｃの形状は、いずれも同じである。
【００２２】
本発明は以上のような構造で、これを使用するときは、リール本体から出ているワイヤー（１）を調節する為に引っ張るが、一度引っ張ると伸び、目的の長さまで伸びたら離す。すると長さはロックされる。再び引き続けるとワイヤー（１）は伸びる。ロックされた状態でワイヤー（１）を短く引っ張るとロックが解除され、ワイヤー（１）はリール本体に巻き取られ、収納される。
【符号の説明】
【００２３】
１      ワイヤー
２      ストッパー
３      ストッパー移動用の溝
４      リール内部本体
５      ゼンマイ
６      外装ａ
７      外装ｂ
８      リール溝面
９      軸
１０      穴
１１      リール内部収納面
１２      ワイヤー収納口
１３      ワイヤー出口ｂ
１４      ワイヤー出口ａ
１５      ワイヤーストッパー
１６      リール全体
１７      ゼンマイの芯
１８      ゼンマイの端
１９      ゼンマイの端収納口
２０      軸の切れ込み
２１      外側誘導凸部
２２      内側誘導凸部
２３ａ、２３ｂ、２３ｃ  中間誘導凸部小
２４ａ、２４ｂ、２４ｃ  中間誘導凸部大
２５      ストッパー受け
２６      外溝から内溝への誘導面
２７      外側誘導面
２８      中間誘導面
２９      ストッパー受けへの誘導面
３０      外溝への誘導面
【図１】
2015084696.tif 000003
【図２】
2015084696.tif 000004
【図３】
2015084696.tif 000005
【図４】
2015084696.tif 000006
【図５】
2015084696.tif 000007
【図６】
2015084696.tif 000008
【図７】
2015084696.tif 000009
【図８】
2015084696.tif 000010
【図９】
2015084696.tif 000011